(57)【特許請求の範囲】
【請求項１】
カード上の接点と電気的に接続するソケットに取り外し可能で挿入可能な電子カードであって、
カードの物理的形状と接点の配置とは第１の公表されているカード規格に従い、接点による電気インタフェースは第２の公表されているカード規格に従い、前記第１および第２の公表されているカード規格は両立しない物理的形状、接点の配置および電気インタフェースを明示し、
前記電子カードは、第１の公表されているカード規格の条件を電気的に且つ機能的に満たし、またカード上の接点に接続して、第１の公表されているカード規格の条件を電気的に且つ機能的に満たす利用回路とソケットを介して通信する回路を備える電子カード。
【請求項２】
カード上の接点と電気的に接続するソケットに取り外し可能で挿入可能な電子カードであって、
カードの物理的形状と接点の配置とは第１の公表されているカード規格に従い、接点による電気インタフェースは第２の公表されているカード規格に従い、前記第１および第２の公表されているカード規格は両立しない物理的形状、接点の配置および電気インタフェースを明示し、
前記電子カードは、第１の公表されているカード規格の条件を電気的に且つ機能的に満たし、またカード上の接点に接続して、第１の公表されているカード規格の条件を電気的に且つ機能的に満たす利用回路とソケットを介して通信する回路を備え、
前記電子カードは不揮発性メモリアレイと接続するコントローラ回路をさらに備え、前記コントローラ回路は、第２の公表されているカード規格の条件を電気的に且つ機能的に満たし、またカード上の接点に接続して、第２の公表されているカード規格の条件を電気的に且つ機能的に満たす利用回路とソケットを介して通信する電子カード。
【請求項３】
請求項１または２記載の電子カードにおいて、
第１の公表されているカード規格はＭＭＣまたはＳＤカードのものであり、第２の公表されているカード規格はＩＳＯ／ＩＥＣ７８１６規格である電子カード。
【請求項４】
請求項３記載の電子カードにおいて、
前記カードは、第１の公表されているカード規格に従うその接点に電気インタフェースを有さないでおく電子カード。
【請求項５】
請求項４記載の電子カードにおいて、
セキュリティ・コードのデータは、第２の公表されているカード規格の電気インタフェースに従うカードの接点を通してアクセスし得るようにカードに蓄積される電子カード。
【請求項６】
請求項３記載の電子カードにおいて、
前記カードは、第１の公表されているカード規格に従うその接点に電気インタフェースを付加的に包含する電子カード。
【請求項７】
請求項６記載の電子カードにおいて、
前記カードは、第２の公表されているカード規格の電気インタフェースに従うカードの接点を通してアクセス可能なセキュリティ・コードの蓄積されたデータを包含すると共に、第１の公表されているカード規格の電気インタフェースに従うカードの接点を通してアクセス可能な蓄積された内容データを付加的に包含し、前記セキュリティ・コードは内容データの利用を可能にするために使用されるようになっている電子カード。
【請求項８】
取り外し可能なデータ・メモリ・カードを使用する方法であって、
第１の公表されているカード規格に従う物理的形状と、電気接点の配置と、電気接点による電気インタフェースとを有する第１のカードを供給するステップと、
第１の公表されているカード規格に従う物理的形状および電気接点の配置、並びに第２の公表されているカード規格に従う電気接点による電気インタフェースを有する第２のカードを供給するステップであって、前記第１および第２の公表されているカード規格は両立しない物理的形状、電気接点の配置および電気インタフェースを明示するステップと、
第１の公表されているカード規格の電気接点の配置に従うそれらの電気接点に電気的に係合する少なくとも１つのソケットに第１および第２のカードを挿入するステップと、
前記ソケットと電気的に接続されるシステムを通して第１および第２のカードに蓄積されたデータを読み出すステップと、
前記システムにより第１および第２のカードから読み出されたデータを協同的に利用するステップと、を含み、
前記第２のカードは、第２の公表されているカード規格の条件を電気的に且つ機能的に満たし、またカード上の電気接点に接続して、第２の公表されているカード規格の条件を電気的に且つ機能的に満たす利用回路とソケットを介して通信する回路を備える方法。
【請求項９】
取り外し可能なデータ・メモリ・カードを使用する方法であって、
第１の公表されているカード規格に従う物理的形状と、電気接点の配置と、電気接点による電気インタフェースとを有する第１のカードを供給するステップと、
第１の公表されているカード規格に従う物理的形状および電気接点の配置、並びに第２の公表されているカード規格に従う電気接点による電気インタフェースを有する第２のカードを供給するステップであって、前記第１および第２の公表されているカード規格は両立しない物理的形状、電気接点の配置および電気インタフェースを明示するステップと、
第１の公表されているカード規格の電気接点の配置に従うそれらの電気接点に電気的に係合する少なくとも１つのソケットに第１および第２のカードを挿入するステップと、
前記ソケットと電気的に接続されるシステムを通して第１および第２のカードに蓄積されたデータを読み出すステップと、
前記システムにより第１および第２のカードから読み出されたデータを協同的に利用するステップと、を含み、
前記第２のカードは、第２の公表されているカード規格の条件を電気的に且つ機能的に満たし、またカード上の電気接点に接続して、第２の公表されているカード規格の条件を電気的に且つ機能的に満たす利用回路とソケットを介して通信する回路を備え、
前記第１のカードは不揮発性メモリアレイと接続するコントローラ回路を備え、前記コントローラ回路は、第１の公表されているカード規格の条件を電気的に且つ機能的に満たし、またカード上の電気接点に接続して、第１の公表されているカード規格の条件を電気的に且つ機能的に満たす利用回路とソケットを介して通信する方法。
【請求項１０】
請求項８または９記載の方法において、
第２のカードに蓄積されたデータは、第１のカードから読み出されたデータの利用を可能にするために前記システムによって利用されるセキュリティ・コードである方法。
【請求項１１】
請求項８〜１０のいずれか記載の方法において、
第１の公表されているカード規格はＭＭＣまたはＳＤカードのものであり、第２の公表されているカード規格はＩＳＯ／ＩＥＣ７８１６規格である方法。
【発明の詳細な説明】
【０００１】
【発明の属する技術分野】
本発明は、一般に、いろいろな機械的および／または電気的インタフェースを有する取り外し可能な電子回路カードの使用方法および構造に関し、特に、関連するマルチメディアカード（ＭｕｌｔｉＭｅｄｉａＣａｒｄ（“ＭＭＣ”））インタフェースおよび機密保護ディジタル（Ｓｅｃｕｒｅ  Ｄｉｇｉｔａｌ（“ＳＤ”））メモリカード・インタフェースに従う不揮発性メモリ・カードと、国際標準化機構（“ＩＳＯ”）および国際電子技術標準会議（“ＩＥＣ”）の規格（１例はＩＳＯ／ＩＥＣ７８１６規格である）に従うインタフェースを有するカードとの使用に関する。
【０００２】
【従来の技術】
ＭＭＣのための物理的および電気的仕様は、カリフォルニア州クパチーノのマルチメディアカード協会（ＭｕｌｔｉＭｅｄｉａＣａｒｄ  Ａｓｓｏｃｉａｔｉｏｎ（“ＭＭＣＡ”））により時折更新され刊行される“マルチメディアカード・システム仕様”において与えられている。この仕様の、それぞれ１９９９年６月付けおよび２０００年１月付けのバージョン２．１１および２．２は、この言及によりここに明確に取り入れられる。単一のカードで６４メガバイトに及ぶいろいろな記憶容量を有するＭＭＣ製品が、本願の譲受人であるカリフォルニア州サニーベールのサンディスク  コーポレーションから現在入手できる。それらの製品は、サンディスクコーポレーションにより刊行された２０００年４月付けの“マルチメディアカード製品マニュアル”改訂２に記載されており、このマニュアルはこの言及によりここに明確に取り入れられる。該ＭＭＣ製品の電気的動作の一定の態様も、共に１９９８年１１月４日に出願され、サンディスク  コーポレーションに譲渡された、トーマス  Ｎ．トゥームおよびミッキー・ホルツマンの同時係属特許出願第０９／１８５，６４９号および第０９／１８６，０６４号に記載されている。物理的なカード構造およびその製造方法が、サンディスク
コーポレーションに譲渡された米国特許第６，０４０，６２２号に記載されている。これらの特許出願および特許の両方ともこの言及によりここに明確に取り入れられる。
【０００３】
新しいＳＤカードは、ＭＭＣカードと似ていて、追加のメモリチップを収容する大きくされた厚さを除いて同じサイズを有する。それらの主な違いは、ＳＤカードが該カードとホストとの間のより高速なデータ転送を可能にするために追加のデータ接点を包含することである。ＳＤカードを受け入れるように設計されているソケットがＭＭＣカードも受け入れるように、ＳＤカードの他の接点はＭＭＣカードのそれと同じである。ＳＤカードとの電気的インタフェースは、両方のタイプのカードを収容するためにホストの動作に変更を殆ど加えなくて済むようにするために、さらに、上記で参考として引用されたその仕様のバージョン２．１１に記載されているＭＭＣ製品と、大体、後戻り両立するようにされる。
【０００４】
ＩＳＯ／ＩＥＣ７８１６規格に従って作られているカードは、ＭＭＣおよびＳＤカードとは異なる形状であり、異なる位置に表面接点を有し、異なる電気的インタフェースを有する。ＩＳＯ／ＩＥＣ７８１６規格は、“識別カード−接点付きの集積回路カード”という一般題名を有し、１９９４年から２０００年までの個別の日付を持っている１〜１０編から成っている。この規格は、そのコピーがスイスのジュネーブのＩＳＯ／ＩＥＣから入手でき、この言及によりここに明確に取り入れられる。ＩＳＯ／ＩＥＣ７８１６カードは、データが承認無く読まれることを極めて困難または不可能にする安全な態様でデータが蓄積されなければならないアプリケーションに特に有益である。
【０００５】
小型ＩＳＯ／ＩＥＣ７８１６カードの１つの一般的使用は、電子システムの窃盗および／または承認無しでの使用に対する安全保障であり、その場合にはカードはユーザまたは電子システムに属するセキュリティ・コードを記憶する。例えば車両に据え付けられるラジオは１つのタイプの電子システムであり、そのラジオに属するセキュリティ・コードは該ラジオを動作させるために時々入力される必要がある。１つの構成では、電池電力が切り離されているときに、それを動作不能にする回路構成がラジオ内に設けられる。次に、再びラジオを動作可能とするためには特有のセキュリティ・コードを入力する必要がある。セキュリティ・コードを引き渡す１つの方法は、小型ＩＳＯ／ＩＥＣ７８１６カードにそれを蓄積すると共に、該カードが挿入されるカードスロットをラジオ内に設けることである。カードからそのコードを読み出し、それをそのラジオに特有のコードと比較し、もしそのコードが一致したならば、電池が再接続された後に該ラジオの動作を再び可能にする回路が該ラジオに包含される。
【０００６】
（発明の開示）
ホスト電子システムの単一のカード・ソケットは、その物理的カード形状、外部接点の配置および電気信号インタフェースに関して互いに両立しない２つ以上の異なる現存するカード規格に従う１つ以上の着脱可能で挿入可能なカードと相互に作用することができる。例えば、特有のセキュリティ・コードなどのデータは、その様なデータを扱うのに最も良く適合されているＩＳＯ／ＩＥＣ７８１６カード規格に従って該システムにより読み取り可能であり、ユーザ・データやオペレーティング・プログラムなどの他のデータは、そのために設計されているＭＭＣカード規格またはＳＤカード規格のいずれかに従って該システムにより読み取り可能である。しかし、本発明は、特定のカード規格の使用や、現存するカード規格に従って蓄積されるデータのタイプには限定されない。
【０００７】
１つの特定の実施態様では、１つのタイプのカードの物理的規格は他のタイプのカードのそれに従うように変更され、各タイプのカードは他のタイプのカードの物理的特徴を有するパッケージ内に別々に形成される。例えば、ＩＳＯ／ＩＥＣ７８１６規格に従うカードは、関連するＭＭＣカード規格またはＳＤカード規格のいずれかにより指定される同じ形状およびピン位置を有するように物理的に変更され、電子システムのソケットはそのカード規格に従う。すると、その２つ以上のカードは該電子システムの単一のソケットにより受け入れられる。
【０００８】
もう一つの特定の実施態様では、２つ以上のカード規格に従う機能が、それらの規格のうちの１つの物理的寸法および電気接点位置を有する単一のカードにおいて兼備される。例えば、関連するＭＭＣカード規格またはＳＤカード規格のいずれかに従うカードはＩＳＯ／ＩＥＣ７８１６規格に従うカードの回路構成を包含するように修正されることができ、異なる規格の２つ以上の電気的機能は共通のカード接点セットを共有する。
【０００９】
これらの実施態様のアプリケーションはたくさんある。例えば、車両ラジオでは、カード・ソケットは、セキュリティ・コードを包含するカードと、正しいセキュリティ・コードにより作動可能にされたときに車両のオーディオ・システムを通して再生されることのできる音楽のデータを包含するメモリ・カードとの両方を受け入れるようにされる。もう一つの例では、手持ち式コンピュータ、パーソナルオルガナイザ、携帯電話機等の携帯用電子装置は、該装置において利用プログラムが動作することを可能にするセキュリティ・コードを包含するカードを受け入れるのに加えて、時折変化する利用プログラムの一部分または利用プログラムに使用されるデータを含むカードを受け入れるカード・スロットを有する。別の例では、ＧＰＳ受信装置カード・スロットは、該受信装置の動作を可能にするユーザ・セキュリティ・コードを包含するカードと位置等を突き止める該受信装置の動作に使用されるデータを包含するカードとを受け入れる。各々の場合に、利用データおよびセキュリティ・コードは同じカードに交互に包含されることができる。
【００１０】
これらのアプリケーションにおいて、別々のカードが使用されるとき、セキュリティ・コードは、装置の所有者が普通は電子装置とは別に安全な場所に維持する低容量で割合に安価なメモリカードに蓄積されることができる。そのとき、タイプは同じだけれども記憶容量がより大きな１つ以上の異なるメモリカードが、関連するデータを蓄積するために使用される。電子装置内の回路は、そのスロットに置かれたカードを読むときにセキュリティ・コードを関連するデータから識別し、そしてそれに応じてデータを使用する。
【００１１】
本発明の付加的な特徴および利点は以下の説明から明らかとなろうが、それは添付図面と関連させて検討されるべきである。
【００１２】
【発明の実施の形態】
上記で要約された本発明の１つの特定のアプリケーションを説明するために、自動車ラジオの例について詳しく説明する。図１は、乗用車などの自動車のダッシュボード１３に据え付けられているラジオ１１を示す。該ラジオ内のオーディオ増幅器は、該自動車に据え付けられている２つ以上のスピーカ１５および１７を駆動する。該ラジオ内のチューナは、ラジオ局からの信号を該増幅器に与える。該増幅器およびスピーカのためのオーディオ信号の他の供給源としてオーディオテープおよび／またはコンパクトディスク・プレーヤも該ラジオに包含されることができる。
【００１３】
ラジオ１１は、普通の種類の制御装置およびディスプレイを有する。さらに、標準的な不揮発性メモリカードを受け入れるスロット１９が該ラジオの前部に含まれている。２つのその様なカード２１および２３が示されている。その様なメモリカード上の接点と同じパターンをなす電気接点がスロット１９内に含まれており、該カードが完全に該スロット内に挿入されると該ラジオと該メモリカードの内容との間に電気的接続が確立される。カードが該スロットから取り除かれると、この接続は切断される。
【００１４】
カード２１および２３としての使用に適する１つのタイプのメモリカードは、市販されているＭＣＣである。もっと最近の関連するＳＤカードを代わりに用いることもできる。代わりに、もっと大きなコンパクトフラッシュ・カードを使用することができる。これらのカード製品の各々は、半導体フラッシュＥＥＰＲＯＭシステムを含んでおり、本願の譲受人であるカリフォルニア州サニーベールのサンディスク  コーポレーションを含むいくつかの製造業者により作られている。他のタイプの不揮発性メモリカードを代わりに使用することができる。スロット１９内に設けられている機械的および電気的インタフェースは、選択されたタイプのカードの要件に従うようにされる。
【００１５】
機密保護コードを蓄積する１つのその様なカード２５の使用が図２に示されている。カード２５がラジオ・スロット１９に挿入されるとき、スロット１９内の接点はカード２５上の電気端子と接続する。ラジオ１１内のセキュリティ回路２７は、該カードからコード・データを受け取って、そのコードを特定のラジオに特有の内部に蓄積されているコードと比較する。この内部コードは、ラジオ回路構成の一部分として設けられている読み出し専用メモリ（ＲＯＭ）等の小量の不揮発性メモリに蓄積されることができる。該コードが同じであることが分かったならば、セキュリティ回路２７は、スピーカ１５および１７を駆動するオーディオ増幅器、ＡＭとＦＭラジオ・チューナ、およびコンパクトディスクおよび／またはテープ・プレーヤを含む該ラジオの残りの部分３１の動作を可能にする。ラジオが作動可能にされると、カード２５はスロット１９から取り除かれる。
【００１６】
セキュリティ・コードに加えて音楽等のオーディオ・データを入力するためのこのカード設備の使用が図３に示されている。スロット１９に挿入されたカードとの直接的電気接続のためにカード・インタフェース回路３３が付加されている。インタフェース回路３３は、挿入されたカードの端子をセキュリティ回路２７およびラジオ・セクション３１’の両方に接続し、その各々が、挿入されたカードがそれのためのデータを含んでいるか否か判定する。カード３５はセキュリティ回路２７により使用される特有のセキュリティ・コードを包含し、カード３７は、例えば、ラジオ・セクション３１’により使用されるオーディオ・データを包含する。カード３５がスロット１９に挿入されると、セキュリティ回路２７は図２に関して上記で説明されたように動作する。カード３７がスロット１９に挿入されると、ラジオ・セクション３１’は、蓄積されているデータを受け取って、そのオーディオ内容をスピーカ１５および１７を通して演奏する。ラジオ・セクション３１’は、カード３７からのディジタル・オーディオ・データをオーディオ信号に変換する回路を含み、それはラジオ・セクション３１’内の増幅器によって増幅される。
【００１７】
メモリカード３７に蓄積されるオーディオ・データは、最も一般的には音楽であり、そして、単一のカードに実用的な量の音楽を蓄積するためにありふれたＭＰ３圧縮アルゴリズムによるなどして、圧縮された形で蓄積される。圧縮されるときには、カード・インタフェース回路３３は、そのディジタル・オーディオ・データを解凍するために信号処理装置も包含する。繰り返しやカードの取り替え無しで音楽を演奏できる時間の長さをさらに増大させるために、音楽データ・ファイルを各々包含する多数のメモリカードを受け入れるためにラジオ１１に２つ以上のカードスロットを包含させることができる。
【００１８】
オーディオデータ・カード３７は普通のコンパクトディスクおよびテープ・プレーヤの代わりであり、それはラジオ１１に包含されることもできる。その使用は、音楽をカーラジオ１１に伝える便利な方法を提供する。ディジタル音楽データは、例えば、ユーザがインターネットからダウンロードすることによりカード３７に蓄積され、或いはコンパクトディスクまたは他の供給源から転送されることができる。いろいろな音楽のデータを各々包含する多数のその様なカードを一度に使用することができる。各オーディオデータ・カードは、そのデータを消去して新しいデータをそれに書き直すことにより繰り返し使用されることができる。オーディオデータ・カードは、好ましくは一般にコンパクトディスクによって伝えられる量の音楽を蓄積する容量を有する。データが元の原始データの量の１０パーセントに圧縮されるときには、例えば、６４メガバイトの容量を有するカードに約１時間分の音楽を蓄積することができる。しかし、セキュリティ・コードを包含するカード３５は、ほんの１または数キロバイトなど、非常に小さな容量を持つだけでよい。従って、セキュリティ・コード・カードは非常に安価であって良い。
【００１９】
自動車ラジオに加えていろいろな電子装置も、その様な二重の役割を担うことのできるメモリカード・スロットを備えることができる。カード・インタフェース回路ブロック３３のようなものもその様な他の装置に包含されて、セキュリティ・コード・データと、そのセキュリティ・コードによって作動可能にされる機能を実行するために該電子装置により使用される付随する内容データとの両方とインタフェースする。セキュリティ・コードはセキュリティ回路に対して使用され、付随するデータは適切なセキュリティ・コードの受け取りによって作動可能にされる機能または動作を実行する電子装置の部分に対して使用される。
【００２０】
いくつかの理由のうちのいずれかによって、異なる２つの規格に従うカードとインタフェースするシステムについて、図４に関連して詳しく説明をする。物理的には、表面電気接点１〜７を伴って、カード５１がＭＭＣカードの物理的フォーマットを有するように示されている。平面図での同じ寸法と、同じ接点１〜７と、追加の表面接点８および９とを有するＳＤカードを代わりに用いることができる。いずれの場合にも、ソケット５３は、ＭＭＣカードだけを受け入れるために填め合い接点１〜７を包含すると共に、随意に、ＭＭＣカード或いはＳＤカードで動作し得るように追加の接点８および９を有する。回路５５および５７は、受け入れられている２つの異なるカード規格に従って種々のカードの特有の電気的内容を利用する。その様な１つのカードは、図５に示されているように、修正無しのＭＭＣまたはＳＤカードである。もう一つのその様なカードは、ＭＭＣまたはＳＤカードのいずれかと同じ物理的形状および接点位置を有するけれども、他の殆ど全ての点に関して、図６に示されているように、ＩＳＯ／ＩＥＣ７８１６規格に従う。利用回路５５および５７は、１つのカード・タイプで動作するように個別に専用されても良く、或いは、代わりに、単一のマイクロプロセッサまたはマイクロコントローラ回路により実現されても良い。
【００２１】
図５に示されているようなＭＭＣおよびＳＤカードは、フラッシュメモリ５９およびメモリ・コントローラ６１を含む。ＭＭＣおよびＳＤカード規格に従って外部カード接点によりコントローラ６１へ伝えられる電気信号も示されており、それは次の通りである。
0005198711.tif 000002
ＭＭＣカードについては、データは、接点第７番に接続されている単一のラインを介してカードとホストとの間で順次転送され、４つのデータ・ラインがＳＤカードの接点第１、７、８および９番に個別に接続可能である。しかし、ＭＭＣカード向けに設計されているシステムおよび高いデータ転送速度が不要であるものと両立し得るように、ＳＤカードはその接点第７番に接続されている単一のデータ・ラインを介して動作することもできる。各カードの接点第２番に接続されている単一のラインは、ホストからの動作コマンドを伝え、該カードの応答（状態）を該ホストへ返す。クロック信号がホストにより各カードの接点第５番に供給されるが、クロックレートは異なっていても良い。残りの接点第３、４および６番はホストから動作電圧を受け取る。
【００２２】
図６に示されているようなＩＳＯ／ＩＥＣ７８１６規格に従うカードは、表面接点の異なるパターンを有し、そのうちのいくつかはＭＭＣまたはＳＤカードとは異なる機能を実行する。ＩＳＯ／ＩＥＣ７８１６カードは、下記のようにＩＳＯ／ＩＥＣ７８１６規格接点に接続される外部接点のＭＭＣまたはＳＤカード・パターンの使用を包含して、ＭＭＣまたはＳＤカード規格に従って再包装される。
0005198711.tif 000003
ＩＳＯ／ＩＥＣ７８１６規格に従う高電圧供給接点および低電圧供給接点Ｃ１およびＣ５、およびクロック信号接点Ｃ３は、図６において図５のフラッシュメモリについてと同じ外部ＭＭＣまたはＳＤカード接点第３、４、５および６番に接続される。ＩＳＯ／ＩＥＣ７８１６規格は、カード５１が、図６のＩＳＯ／ＩＥＣ７８１６規格カードを包含するとき、図４のソケット５３に挿入されると、ＩＳＯ／ＩＥＣ７８１６規格に従う適切な電圧供給とクロックとを提供することとなるように修正される。図示されている構成では、図６のカードは読み出し専用であるので、ＩＳＯ／ＩＥＣ７８１６規格の接点Ｃ６にはプログラミング電圧は接続されない。もちろん、図６の接点Ｃ１〜Ｃ８は、実際にはカード５１フォーマットの中に形成されなくても良くて、これらの接点番号で特定される信号は動作回路からカード５１の外部接点に直接接続される。
【００２３】
ＩＳＯ／ＩＥＣ７８１６規格の操作可能なりセットおよび入／出力信号接点Ｃ２およびＣ７は、図６に示されているように、ＭＭＣまたはＳＤカード接点１および２にそれぞれ接続される。これらのカード接点は、クロック信号カード接点５と同じく、図４のスイッチング論理回路６３を通して利用回路５５に接続される。同様に、図５のチップ選択、コマンド／応答、クロック、およびデータ接点１，２，５および７は、スイッチング論理６５（図４）を通して利用回路５７に接続される。利用回路５５および５７の各々は、それぞれ図６および５のそれらのカードが異なるクロック周波数で動作できるように、それ自身のクロック信号を提供する。もちろん、図５および６のカードが同じクロック周波数で最適に動作することができるならば、カード接点５は論理回路６３および６５を通さずに共通クロック源と接続される。利用回路５５または５７のいずれかが、ソケットに挿入されたカードは該回路がそれで動作するように設計されているものであると認めると、その回路はスイッチング論理回路６３または６５のうちの適切な方により、それをソケット５３の接点と接続させる。ソケット５３の電力供給接点３，４および６は適切なＶDDおよびＶSS（ＧＮＤ）源に接続される。
【００２４】
図４の回路が、多くのあり得る用途のうちの１つである内容利用のセキュリティ管理を提供するために使用されるときには、利用回路５５は、ソケット５３に挿入されたＩＳＯ／ＩＥＣ７８１６規格に従うカード（図６）からセキュリティ・コードを読み取る。その読み出されたセキュリティ・コードは、利用回路５５の一部分として蓄積されているのと比較される。その比較が肯定であれば、利用回路５７がＭＭＣまたはＳＤカード規格に従う不揮発性メモリ・カード（図５）からのデータで作動することが可能にされる。圧縮されているディジタル・オーディオは、回路５７により利用されるＭＭＣまたはＳＤカードの内容についての多数の選択肢の中の一つである。図１〜３に関して説明された実施態様は、図４〜５の回路のその様な特定のアプリケーションの例である。
【００２５】
２つの異なる規格に従う別々のカードを利用する代わりに、図５および６のカードの機能を結合させて、図７に示されているように、ＭＭＣまたはＳＤカード規格に従う単一の物理的構造とすることができる。不揮発性メモリ・コントローラ６１’とＩＳＯ／ＩＥＣ７８１６規格に従う回路６２’とは上述されたように図７のカードの外部接点１〜７のうちの同じものに接続され、ここでの差異は、それらが両方とも単一のカードのこれらの接点に永久的に接続されることである。このことには、ユーザが２つ以上の異なる規格に従うカードの能力を有するために２つ以上のカードを使わなくても良いという利点がある。図８に示されているそのようなシステムは、ソケット５３’に挿入された図７の２規格カードのどの部分にもアクセスすることができる。回路５５’はＩＳＯ／ＩＥＣ７８１６規格の条件を電気的に且つ機能的に満たす部分６２’を利用し、回路５７’は不揮発性メモリ５９’に蓄積されているデータを利用する。これは、例えば、ＩＳＯ／ＩＥＣ７８１６規格によるセキュリティ・コードとＭＭＣまたはＳＤカードの規格による圧縮されたオーディオ・データとの両方を供給することに使用されることができて、図１〜３に関連して上述された技術を単一のカードで実現する。利用回路５５’および５７’の機能は、ホストコンピュータにより、その目的に専用されるマイクロコンピュータにより或いはその特定のアプリケーションに適する他の何らかの装置により交互に実行されることができる。
【００２６】
本発明は、特定の実施態様に関して説明してきたけれども、本発明が添付されている請求項の最大の範囲内で保護を受ける権利があることが理解されよう。
【図面の簡単な説明】
【図１】  本発明を利用する電子装置の例として、車両のダッシュボードに据え付けられたラジオを示す。
【図２】  図１の車両ラジオにおいて盗難時にそれを作動不能にするために使用されるセキュリティ・システムの略図である。
【図３】  ラジオを通じて再生されるディジタル・オーディオ・データも受信する図１の車両ラジオのための改良されたセキュリティ・システムの略図である。
【図４】  いろいろなインタフェース規格を有するカードを利用するシステムの一部としてのカード・インタフェースの略図である。
【図５】  ＭＭＣまたはＳＤカード・インタフェース規格のいずれかに従うフラッシュ・メモリ・カードであるときの図４のカードのピン接続を示す。
【図６】  ＩＳＯ／ＩＥＣ７８１６インタフェース規格に従う図４のカードのピン接続を示す。
【図７】  ＭＭＣまたはＳＤカード規格の機能とＩＳＯ／ＩＥＣ７８１６規格の機能との両方を包含する単一のカードのブロック図である。
【図８】  図７の組み合わせカードの使用を略図示する。
【図１】
0005198711.tif 000004
【図２】
0005198711.tif 000005
【図３】
0005198711.tif 000006
【図４】
0005198711.tif 000007
【図５】
0005198711.tif 000008
【図６】
0005198711.tif 000009
【図７】
0005198711.tif 000010
【図８】
0005198711.tif 000011